(57)【要約】【課題】薄型化への対応が容易であり且つ他部品との接続も容易なものとする。【解決手段】一次側送電用コイルからの電力を受けるための二次側受電用のコイル２を備えたもので、表裏に貫通して設けられた導電部３を備える薄板部材１の一面に上記二次側受電用コイル２を配して上記導電部に接続する。薄板部材１のコイル２が配された一面とは反対側の面にも導電部３が露出しているために、薄板部材１の表裏いずれの面でも他の部品との電気的接続を行うことができる。【選択図】図１
2009005470.tif 000002
【特許請求の範囲】
【請求項１】
一次側送電用コイルからの電力を受けるための二次側受電用のコイルを備えた非接触電力伝送用コイル装置であって、表裏に貫通して設けられた導電部を備える薄板部材の一面に上記二次側受電用コイルが配設されて上記導電部に接続されていることを特徴とする非接触電力伝送用コイル装置。
【請求項２】
上記導電部は上記薄板部材に設けた貫通孔に埋め込まれたものであることを特徴とする請求項１記載の非接触電力伝送用コイル装置。
【請求項３】
上記導電部は上記薄板部材に設けたスルーホールであることを特徴とする請求項１記載の非接触電力伝送用コイル装置。
【発明の詳細な説明】
【技術分野】
【０００１】
本発明は、非接触で電力伝送を行うための非接触電力伝送用コイル装置、殊に受電側の構造に関するものである。
【背景技術】
【０００２】
一次側送電用コイルと二次側受電用コイルとの間でトランスを構成して、両コイル間の電磁誘導作用を利用して非接触電力伝送を行うものが、接点部分の露出がないために接点部分の劣化を気にしなくて良いことや防水性の確保が容易になること、電力送電側機器に対する電力受電側機器の着脱を容易に行うことができるなどの点からコードレス電話機、シェーバー、歯ブラシなど様々な商品に用いられている。
【０００３】
この種の用途において、特に携帯電話機の内蔵電池を充電するために用いる場合、特に受電側の構成を薄型に形成することが要求されており、このような要求に応えるものとして、特開平１１−９７２６３号公報（特許文献１）に示されているように、渦巻き型の二次側受電用のコイルを磁性材からなる薄板部材の一面に配設したものがある。
【０００４】
このような形態のものでは、コイルが極細線で形成されることから、コイルの端末をそのまま外部に導出するのは困難である。
【０００５】
このために通常は薄板部材のコイルが配された一面側に端子部を形成し、該端子部を通じて外部への接続を行うことになるが、上記コイルは受電側機器の外殻の内面に近接して配置されていることが非接触電力伝送における伝送効率の点において必須となるのに対し、上記端子部が薄板部材のコイルと同じ側に位置するということは、この端子部は外殻内面と薄板部材との間の微小間隔で対向している隙間に位置することになり、受電側機器内の他の部品との電気的接続が困難になる。携帯電話への搭載時には、着脱自在とされる電池カバーの内面側にコイルが位置する配置とならざるを得ないことを考えると、尚更である。
【特許文献１】特開平１１−９７２６３号公報
【発明の開示】
【発明が解決しようとする課題】
【０００６】
本発明は上記の従来の問題点に鑑みて発明したものであって、薄型化への対応が容易であるとともに他部品との接続も容易である非接触電力伝送用コイル装置を提供することを課題とするものである。
【課題を解決するための手段】
【０００７】
上記課題を解決するために本発明に係る非接触電力伝送用コイル装置は、一次側送電用コイルからの電力を受けるための二次側受電用のコイルを備えたものであって、表裏に貫通して設けられた導電部を備える薄板部材の一面に上記二次側受電用コイルが配設されて上記導電部に接続されていることに特徴を有している。
【０００８】
薄板部材のコイルが配された一面とは反対側の面にも導電部を露出させることで、薄板部材の表裏いずれの面でも他の部品との電気的接続を行えるようにしたものである。
【０００９】
上記導電部は上記薄板部材に設けた貫通孔に埋め込まれたものとしたり、薄板部材に設けたスルーホールを好適に用いることができる。
【発明の効果】
【００１０】
本発明の非接触電力伝送用コイル装置は、薄板部材を貫通する導電部に二次側受電用のコイルを接続しているために、薄板部材のコイルが配された一面側においてはもちろん、反対側の他面においても導電部に他の部品の電気的接続を図ることができるものであり、このために薄型化が求められている受電側機器においても、無理なく他の部品との電気的接続を行うことができる。
【発明を実施するための最良の形態】
【００１１】
以下、本発明を添付図面に示す実施形態に基いて説明すると、図１は受電側機器内に配される受電側の非接触電力伝送用コイル装置を示しており、薄板部材１と、この薄板部材１の一面に配した所謂平面コイルとしての二次側受電用コイル２とからなる。
【００１２】
ここにおける薄板部材１は、コイル２から少し離れたところに表裏に貫通する貫通孔を設けて、この貫通孔に導電部材を埋め込むことで、薄板部材１を貫通している導電部３を備えたものとなっている。そして上記コイル２の端末は薄板部材１のコイル２が配された一面側において、上記導電部３に圧接や半田付けなどによって接続されている。
【００１３】
このように構成したコイル装置は、受電側の機器４に組み込む場合、図３に示すように、コイル２をその外殻の内面に近接させて、送電側の機器５内に配した一次側送電用コイル５２に小間隔で対向させることになるために、コイル２と、受電側の機器４内の他の回路部品を実装した基板４４との間には上記薄板部材１が介在することになるが、薄板部材１に設けた導電部３は前述のように薄板部材１を貫通するものとして設けられているために、コイル２と反対側の面において導電部３と基板４４とを接続すればよく、その電気的接続は容易に行うことができる。なお、図３は受電側の機器４が携帯電話のような携帯機器、送電側の機器５が充電器である場合を想定したもので、ブロック回路図を図４に示す。図３中の４３は電池パック、４５は接続端子、５３は充電回路を搭載した基板であり、図４中の５０は整流回路、５１は発振回路、４１は整流回路、４２は充電制御回路である。
【００１４】
上記導電部３は、図２に示すように薄板部材１にスルーホールとして設けたものであってもよい。コイル２の端末と導電部３との半田付けによる接続がより容易となる。
【００１５】
ここで、薄板部材１は、電力伝送効率を高めるための磁性材で形成されたものであっても、この磁性材をコイル配置部に備えた樹脂製のものであってもよいが、全体が磁性材からなるものの場合、上記導電部３は絶縁部材を介して設けるものとする。
【００１６】
いずれにしても、導電部３は薄板機材１のコイル２が配された面とは反対側の面にも露出しているために、たとえば薄板部材１とコイル２とを受電側機器４の外殻（の電池カバー）に貼り付けて設置する場合なども、他の部品との接続を無理なく行うことができるために、受電側機器４内の部品配置についての制限を少なくして薄型化にも寄与するものとなる。
【図面の簡単な説明】
【００１７】
【図１】本発明の実施の形態の一例を示すもので、(a)は概略平面図、(b)は断面図である。
【図２】同上の他例を示すもので、(a)は概略平面図、(b)は断面図である。
【図３】同上の送電側機器及び受電側機器の概略断面図である。
【図４】同上のブロック回路図である。
【符号の説明】
【００１８】
１  薄板部材
２  コイル
３  導電部
【図１】
2009005470.tif 000003
【図２】
2009005470.tif 000004
【図３】
2009005470.tif 000005
【図４】
2009005470.tif 000006